(57)【要約】【課題】  植栽物が健全に生育できる環境を作ると共に、植栽舗装面上を人や物が往来しても植栽物が枯れ難い植栽舗装を形成でき、且つ、その形成作業を効率よく実施できるようにする。【解決手段】  舗装面８を形成する表面板材９を設け、表面板材９に、上下に貫通して植栽物７が生育自在な多数の開口９ａを設け、表面板材９を舗装下地１上に設置自在な接地部４Ａを設けてある植栽舗装具において、舗装下地１上に設置した植栽部３に挿入自在で、表面板材９を植栽部３の上方に位置保持する複数の脚部４を、表面板材９の下面に点在状態に且つ一体的に設け、脚部４の下方部を、接地部４Ａとして形成してある。【選択図】        図１
2005117936.tif 000002
【特許請求の範囲】
【請求項１】
舗装面を形成する表面板材を設け、表面板材に、上下に貫通して植栽物が生育自在な多数の開口を設け、前記表面板材を舗装下地上に設置自在な接地部を設けてある植栽舗装具であって、
前記舗装下地上に設置した植栽部に挿入自在で、前記表面板材を前記植栽部の上方に位置保持する複数の脚部を、前記表面板材の下面に点在状態に且つ一体的に設け、前記脚部の下方部を、前記接地部として形成してある植栽舗装具。
【請求項２】
前記接地部は、先端を尖らせてある請求項１に記載の植栽舗装具。
【請求項３】
前記脚部は、それぞれが平行、又は、ほぼ平行に配置してある請求項１又は２に記載の植栽舗装具。
【請求項４】
前記舗装下地上に、土壌部の表面に植栽物を植えた植栽部を設け、前記舗装下地上に、前記植栽部を貫通する状態に複数の脚部を立設し、前記脚部の頭部にわたって、舗装面形成用の表面板材を一体的に設け、前記表面板材に、上下に貫通して植栽物が生育自在な多数の開口を設け、前記表面板材が前記土壌部より上方に位置するように前記脚部の長さが設定してある植栽舗装構造。
【請求項５】
前記舗装下地上の前記脚部の立設位置には、脚部支持用の支持体が位置させてあり、前記脚部は、その支持体を介して前記舗装下地上に支持してある請求項４に記載の植栽舗装構造。
【発明の詳細な説明】
【技術分野】
【０００１】
本発明は、例えば、駐車場や屋上、道路等、人や物（車両等）の往来のある舗装部を、植栽を備えた舗装部として構成するのに使用する植栽舗装技術に関し、更に詳しくは、舗装面を形成する表面板材を設け、表面板材に、上下に貫通して植栽物が生育自在な多数の開口を設け、前記表面板材を舗装下地上に設置自在な接地部を設けてある植栽舗装具、及び、植栽舗装構造に関する。
【背景技術】
【０００２】
近年、ビルの屋上や、駐車場や、道路等の舗装面を、アスファルトやコンクリート等の無機的な仕上げに替えて、例えば、芝生や、セダム等の植物を設置した仕上げとし、意匠的な価値を向上させたり、舗装下地側への断熱効果の向上を図ったり、植物による二酸化炭素の低下作用から地球温暖化防止の一役を担わせたりすることが実施されつつある。
しかしながら、せっかく植栽を施しても、その植栽舗装面上を人や物が往来すると直接的に踏みつけられることになり、植栽物が枯れる問題がある。これを防止できるものとして考えられた植栽舗装具、及び、植栽舗装構造には、図６に示すようなものがあった。
即ち、例えば、平面形状がハニカム構造の多数の仕切２０によって舗装具本体２１を構成し、前記仕切２０によって囲まれた六角形の空間一つ一つが独立した植栽物配置空間Ｖとして構成され、前記各仕切２０の上縁部が、舗装面上の荷重を受け止める表面板部９に相当し、各仕切２０の下縁部が、表面板部９を舗装下地１上に接地させる接地部４Ａに相当するものであった。（例えば、特許文献１参照）
そして、当該植栽舗装具の複数を舗装下地１上に敷き並べ、植栽舗装具の各植栽物配置空間Ｖに、それぞれ土壌部６と植栽物７を埋め込んだ形態で使用することによって、植栽物配置空間Ｖの上の開口９ａを通して植栽物７を観賞することができるようにしたものである。
【０００３】
【特許文献１】特開２０００−６０３１９号公報（図１）
【発明の開示】
【発明が解決しようとする課題】
【０００４】
上述した従来の植栽舗装技術によれば、植栽物配置空間が、仕切によって細かく分割されており、それら各植栽物配置空間に対して個別に土を入れたり植栽物を植え付けたりする必要があり、植栽舗装の形成に非常に手間が掛かる問題点があった。更には、植栽物は、各植栽物配置空間内の狭い範囲でしか根が生育できないから、発育不純になったり、枯れる原因にもなりかねないと言う問題点があった。
【０００５】
従って、本発明の目的は、上記問題点を解消し、植栽物が健全に生育できる環境を作ると共に、植栽舗装面上を人や物が往来しても植栽物が枯れ難い植栽舗装を形成でき、且つ、その形成作業を効率よく実施できる植栽舗装技術を提供するところにある。
【課題を解決するための手段】
【０００６】
本発明の第１の特徴構成は、舗装面を形成する表面板材を設け、表面板材に、上下に貫通して植栽物が生育自在な多数の開口を設け、前記表面板材を舗装下地上に設置自在な接地部を設けてある植栽舗装具において、前記舗装下地上に設置した植栽部に挿入自在で、前記表面板材を前記植栽部の上方に位置保持する複数の脚部を、前記表面板材の下面に点在状態に且つ一体的に設け、前記脚部の下方部を、前記接地部として形成してあるところにある。
【０００７】
本発明の第１の特徴構成によれば、予め、舗装下地上に植栽部を形成してある場合にも容易に植栽舗装を実施することができ、その場合には、例えば、設置された植栽部の上から前記脚部を挿入して、表面板材が植栽部の上方に位置保持される状態に当該植栽舗装具を舗装下地上に接地するだけで植栽舗装を形成することが可能となる。
その結果、植栽部の形成作業時には、表面板材や脚部等の障害となるものが舗装下地上には無いから、広い面積にわたって一度に効率的に植栽部形成作業を進めることができることに加えて、植栽舗装具の設置作業そのものも、形成されている植栽部に上から脚部を挿入するだけで、表面板材が植栽部の上方に位置する状態に設置でき、植栽舗装全体とした形成作業効率を、極めて向上させることが可能となる。
また、設置状態において植栽部より上方に位置する表面板材によって、舗装面に作用する荷重を支持できるから、舗装上を通過する車輪や人の足等で植栽部を直接に踏みつけると言ったことを防止でき、植栽物が枯れ難い生育環境を作ることが可能となる。そして、植栽部の土壌の中には、従来のような仕切が出来ないから、植栽物の根の生育範囲を広範囲に設定でき、植栽物が健全に育ち易い生育環境を作ることが可能となる。
そして、前記表面板材に多数の開口を形成してあることで、舗装上からは、太陽の光を植栽部に注ぐことが可能な上、見通すことができるから緑を観賞することもできる。そして、植栽物の生育に伴って、下方から伸び上がることも可能となり、より自然に近い植栽舗装を形成することが可能となる。
【０００８】
本発明の第２の特徴構成は、前記接地部は、先端を尖らせてあるところにある。
【０００９】
本発明の第２の特徴構成によれば、本発明の第１の特徴構成による上述の作用効果を叶えることができるのに加えて、接地部の先端が尖っていることで、事前に形成した植栽部に当該植栽舗装具を設置する際に、脚部を土壌に突き刺しやすく、スムースに植栽舗装具の設置施工を行うことができる。また、土壌への挿入をスムースにできることで、必要以上に植栽部を傷付けることがなく、植栽物を傷めにくい。
【００１０】
本発明の第３の特徴構成は、前記脚部は、それぞれが平行、又は、ほぼ平行に配置してあるところにある。
【００１１】
本発明の第３の特徴構成によれば、本発明の第１又は２の特徴構成による上述の作用効果を叶えることができるのに加えて、複数の脚部を植栽部に挿入する際に、それぞれを脚軸芯方向に沿って挿入移動させることができ、それに伴って、挿入抵抗を最小とすることができ、よりスムースに植栽舗装具の設置作業を実施することができる。また、例えば、植栽舗装のメンテナンスや撤去等の際に、脚部ごと引き抜くことも容易に実施できる。
【００１２】
本発明の第４の特徴構成は、前記舗装下地上に、土壌部の表面に植栽物を植えた植栽部を設け、前記舗装下地上に、前記植栽部を貫通する状態に複数の脚部を立設し、前記脚部の頭部にわたって、舗装面形成用の表面板材を一体的に設け、前記表面板材に、上下に貫通して植栽物が生育自在な多数の開口を設け、前記表面板材が前記土壌部より上方に位置するように前記脚部の長さが設定してあるところにある。
【００１３】
本発明の第４の特徴構成によれば、土壌部より上方に位置する表面板材によって、舗装面に作用する荷重を支持できるから、植栽部を直接に踏みつけると言ったことを防止でき、植栽物が枯れ難い生育環境を作ることが可能となる。そして、植栽部の土壌の中には、従来のような仕切が出来ないから、植栽物の根の生育範囲を広範囲に設定でき、植栽物が健全に育ち易い生育環境を作ることが可能となる。
そして、前記表面板材に多数の開口を形成してあることで、舗装上からは、太陽の光を植栽部に注ぐことが可能な上、見通すことができるから緑を観賞することもできる。そして、植栽物の生育に伴って、下方から伸び上がることも可能となり、より自然に近い植栽舗装を形成することが可能となる。
【００１４】
本発明の第５の特徴構成は、前記舗装下地上の前記脚部の立設位置には、脚部支持用の支持体が位置させてあり、前記脚部は、その支持体を介して前記舗装下地上に支持してあるところにある。
【００１５】
本発明の第５の特徴構成によれば、本発明の第１〜４の何れかの特徴構成による上述の作用効果を叶えることができるのに加えて、脚部が舗装下地に直接当たってないから、舗装下地表面を脚部によって傷付けることが無く、例えば、植栽舗装を撤去して、舗装下地のみの状態に復旧する様な場合に、傷直しのための補修工事を実施する必要がない。
また、支持体によって舗装下地との接地面積を大きくすることができるから、植栽舗装上に作用する荷重を、舗装下地の広い範囲に分散して、荷重が集中するのを防止できる。
【発明を実施するための最良の形態】
【００１６】
以下に本発明の実施の形態を図面に基づいて説明する。尚、図面において従来例と同一の符号で表示した部分は、同一又は相当の部分を示している。
【００１７】
図１は、本発明の植栽舗装具Ｈの一実施形態品（以後、単に舗装具と言う）Ｈ１を設置した駐車場のフロアー部分を示している。
駐車場は、コンクリートスラブ１を舗装下地として構成されており、その上に、当該舗装具Ｈ１を設置して植栽舗装２を形成してある。このコンクリートスラブ１は、もともと駐車場の舗装として使用してある場合もあるし、新設の舗装下地として形成される場合もある。即ち、植栽舗装は、改修、新築何れにも適応される。
【００１８】
前記植栽舗装２は、前記コンクリートスラブ１上に植栽部３を設けると共に、その植栽部３に脚部４が貫通する状態に前記舗装具Ｈ１を設置して構成してある。
【００１９】
前記植栽部３は、コンクリートスラブ１上面に保水層としての不織布５を敷設し、その上に土を盛って土壌部６を形成し、その土壌部６に芝（植栽物の一例）７を植えて構成してある。
【００２０】
前記舗装具Ｈ１は、金属（例えば、アルミニウムやダクタイル鋳鉄等）によって構成してあり、図２に示すように、舗装面８を形成する表面板材９を設け、前記表面板材９をコンクリートスラブ１上に設置自在な複数の前記脚部４を設けて構成してある。
前記表面板材９は、複数の桟部材を平面での縦横に交差状に設けて一体的した矩形体として構成してあり、各桟部材間は、上下に貫通して芝７が生育自在な多数の開口９ａとして構成されている。所謂「グレーチング」と同様の構造である。
また、表面板材９の四隅裏面側には、前記脚部４が一体的に設けられている。各脚部４は、互いに平行状態に配置されている。そして、前記脚部４は、その先端部を先細り形状に尖らせてあり、前記植栽部３への挿入を、抵抗少なくスムースに実施できるように構成してある。この脚部４の先端部は、接地部４Ａとして構成してあり、前記コンクリートスラブ１上に接当することで支持され、前記表面板材９の上面に加わる荷重を、コンクリートスラブ１に伝達することができる。
また、脚部４の長さは、前記接地部４Ａをコンクリートスラブ１上に載置した状態で、前記表面板材９の下面が前記土壌部６と同じか、又は、それ以上となるように設定してある。
一方、隣接する舗装具Ｈ１同士は、例えば、ネジ止めや、クリップ止めによって連結してある。
【００２１】
本実施形態の舗装具によれば、植栽部を形成する作業を、予め実施しておくことができ、作業の障害となるものの無い状態で広い面積にわたって一度に作業を実施できるから、効率的に植栽部形成作業を進めることができることに加えて、植栽舗装具の設置作業そのものも、形成されている植栽部に上から脚部を挿入するだけで、表面板材が植栽部の上方に位置する状態に設置でき、植栽舗装全体とした形成作業効率を、極めて向上させることが可能となる。
また、設置した構造によれば、植栽部より上方に位置する表面板材によって、舗装面に作用する荷重を支持でき、舗装上を通過する車輪や人の足等で植栽部を直接に踏みつけると言ったことを防止して、植栽物が枯れ難い生育環境を作ることが可能となる。そして、植栽物の根の生育範囲を広範囲に設定でき、植栽物が健全に育ち易い生育環境を作ることが可能となる。
【００２２】
〔別実施形態〕
以下に他の実施の形態を説明する。
【００２３】
〈１〉  本発明に係わる植栽舗装具Ｈは、先の実施形態で説明した植栽舗装具Ｈ１ものに限るものではなく、各種変更を行うことが可能である。
例えば、図３に示すように、隣接する植栽舗装具Ｈ２にわたって、散水用ストレーナホース１０を収納できる凹溝部９ｂを形成してあれば、この凹溝部９ｂに散水用ストレーナホース１０を配置して、自動的に植栽部３への水やりを実施することができる。
また、この凹溝部９ｂの断面設定を、前記散水用ストレーナホース１０が、舗装面８から上にはみ出さないように設定してあれば、舗装上の通行の障害となり難いことに加えて、ホース１０の消耗を抑制することができる。更には、図３に示すように、前記凹溝部９ｂの両縁部にわたって平板１１を固定できるように構成すれば、この平板１１によって隣接する植栽舗装具Ｈどうしの連結と共に、ホース１０の固定をも叶えることが可能となる。尚、前記凹溝部９ｂに収納するものは、散水用ストレーナホース１０に限らず、例えば、ケーブル類等であってもよい。
〈２〉  前記脚部４は、先の実施形態で説明したような表面板材９と一体に構成されたものに限らず、例えば、両者を別体に構成すると共に、それぞれの間に着脱自在な連結機構を設けてあってもよく、この場合は、植栽部の厚み寸法に応じた長さの脚部４を選択して使用することが可能となる。
また、図４に示すように、脚部４を嵌合自在な上脚部４ａと下脚部４ｂとの分割部材で構成するものであってもよい。この場合の、設置方法の一例を示すと、下脚部４ｂを、舗装下地１上の所定位置に設置すると共に植栽部３を形成し、下脚部４ｂの上端部を目印としながら、その上端部に上脚部４ａを嵌合させて植栽舗装具Ｈ３を設置することができ、植栽舗装具Ｈ３の位置合わせを容易に実施することができる。
〈３〉  また、植栽舗装構造としては、先の実施形態で説明したように、舗装下地１上に直に植栽舗装具Ｈ１の脚部４を設置するものに限らず、例えば、図３に示すように、前記舗装下地１上の前記脚部４の立設位置に、脚部支持用のブロック状支持体１２を位置させておき、その支持体１２を介して前記舗装下地１上に脚部４を支持するように構成してあってもよい。また、支持体は、ブロック状以外に、板状であってもよい。
〈４〉  前記脚部４は、図５（イ）や図５（ロ）に示すような伸縮調整機構１３を設けてあれば、舗装下地１に不陸があっても各脚部４の長さを前記伸縮調整機構１３によって調整してガタツキの無い状態に設置することができる。また、隣接する植栽舗装具Ｈどうしの高さを調整して、舗装面８に段差が出来にくいようにすることもできる。この伸縮調整機構１３の一例を説明すると、図に示すように、互いに螺合自在な雄ネジ部１３ａと雌ネジ部１３ｂと、緩み止めナット１３ｃとを設けて構成してある。高さ調整を行う際には、前記緩み止めナット１３ｃを緩め、脚部４が目的の長さとなるように、雄ネジ部１３ａと雌ネジ部１３ｂとの螺合深度を変更し、その後、緩み止めナット１３ｃを雌ネジ部１３ｂ周縁部に強く当接するまで締め付けることで実施できる。この緩み止めナット１３ｃを設けない構成も可能であるが、舗装面上の通行による振動で不用意に高さが変わるのを前記緩み止めナット１３ｃによるロック作用で防止することができ、設けておくことが好ましい。また、伸縮調整機構１３そのものは、ここで説明した螺合構造に限るものではなく、公知の伸縮構造を採用することができる。尚、図５（ロ）に示すように、雄ネジ部１３ａの上面に、例えばドライバー等の工具を嵌合させて回転操作できる操作溝部１３ｄを設けておけば、植栽舗装具Ｈを設置した状態のまま伸縮調整機構１３の高さ調整操作を実施することができ、より実用的に使用することができる。
〈５〉  前記表面板材は、先の実施形態で説明したものに限らず、例えば、エキスパンドメタルやパンチングメタル、ハニカム板等を使用して構成することも可能である。
【００２４】
尚、上述のように、図面との対照を便利にするために符号を記したが、該記入により本発明は添付図面の構成に限定されるものではない。
【図面の簡単な説明】
【００２５】
【図１】駐車場の要部を示す断面図
【図２】植栽舗装具を示す斜視図
【図３】別実施形態の植栽舗装具を示す要部断面図
【図４】別実施形態の植栽舗装具を示す要部断面図
【図５】別実施形態の植栽舗装具の脚部を示す要部断面図
【図６】従来の植栽舗装具の設置状況を示す分解斜視図
【符号の説明】
【００２６】
１      コンクリートスラブ（舗装下地の一例）
３      植栽部
４      脚部
４Ａ    接地部
６      土壌部
７      芝（植栽物の一例）
８      舗装面
９      表面板材
９ａ    開口
１２    支持体
【図１】
2005117936.tif 000003
【図２】
2005117936.tif 000004
【図３】
2005117936.tif 000005
【図４】
2005117936.tif 000006
【図５】
2005117936.tif 000007
【図６】
2005117936.tif 000008